(57)【要約】【課題】移動体端末を用いてデジタル放送を視聴している場合に、放送電波が受信できないことによる番組視聴中断が発生しても、外出先にて中断した個所から視聴が可能な装置、及び方法を提供する。【解決手段】放送受信手段１０１において放送電波受信途切れを検出した場合に放送受信中断時刻及び視聴中番組情報を放送番組を蓄積している番組配信局へ送信し、番組配信局から番組の中断個所からの動画データを配信してもらうことで番組の中断個所からの視聴を可能にし、再度放送電波の受信が可能になった段階で放送電波受信による番組視聴に切り替えることで、外出先でも面倒な操作なく放送番組の視聴を継続することを可能にする。【選択図】  図２
2004274562.tif 000002
【特許請求の範囲】
【請求項１】
デジタル放送を受信する放送受信手段と、前記放送受信手段により受信したデジタル信号を再生する放送再生手段と、通信回線経由で配信された動画を受信する通信受信手段と、前記通信受信手段により受信した動画を再生する通信動画再生手段と、前記放送再生手段及び前記通信動画再生手段により再生された映像を表示する表示手段と、デジタル放送電波が受信ができなくなったことを検出する放送電波受信中断検出手段と、前記放送電波受信中断検出手段により放送電波の中断が検出された場合に放送受信が中断した時刻及び視聴していた番組情報を送信する送信手段と、前記送信手段において送られた送信情報に対して通信回線経由で放送受信が中断した部分からの動画が送信されてきた場合に通信回線経由での動画受信及び再生及び表示に切り替える切替手段と、放送電波受信中断中に再び放送電波が受信できるようになったことを検出する放送電波受信再開検出手段と、放送電波受信中断中でかつ通信回線経由で動画再生中に前記放送電波受信再開検出手段により再び放送電波の受信が開始できることを検出された場合に通信経由での動画配信を停止させる停止要求を送信する停止要求送信手段と、再び前記放送受信手段により放送受信を開始すると共に前記放送再生手段により放送を再生することを特徴とする携帯電話端末装置。
【請求項２】
デジタル放送を受信する放送受信手段と、前記放送受信手段により受信したデジタル信号を再生する放送再生手段と、通信回線経由で配信された動画を受信する通信受信手段と、前記通信受信手段により受信した動画を再生する通信動画再生手段と、前記放送再生手段及び前記通信動画再生手段により再生された映像を表示する表示手段と、デジタル放送電波が受信ができなくなったことを検出する放送電波受信中断検出手段と、通信電波が受信できなくなったことを検出する通信電波受信中断検出手段と、前記放送電波受信中断検出手段により放送電波の中断が検出された場合には放送受信が中断した時刻または前記通信電波受信中断検出手段により通信電波の中断が検出された場合には通信が中断した時刻及び視聴していた番組情報を記憶する記憶手段と、通信電波受信中断中に再び通信電波が受信できるようになったことを検出する通信電波受信再開検出手段と、前記通信電波受信再開検出手段により再び通信が行えるようになったことを検出した場合に前記記憶手段において記憶された情報より番組視聴が中断したことを判断する判断手段と、前記判断手段により番組視聴が中断していた場合には前記記憶部に記憶された番組中断時刻及び視聴番組情報を送信する送信手段と、前記送信手段において送られた送信情報に対して通信回線経由で放送受信が中断した部分からの動画が送信されてきた場合に通信回線経由での動画受信及び再生及び表示に切り替える切替手段により動画を再生することを特徴とする携帯電話端末装置。
【請求項３】
デジタル放送を受信する放送受信手段と、前記放送受信手段により受信したデジタル信号を再生する放送再生手段と、通信回線経由で配信された動画を受信する通信受信手段と、前記通信受信手段により受信した動画を再生する通信動画再生手段と、前記放送再生手段及び前記通信動画再生手段により再生された映像を表示する表示手段と、デジタル放送電波が受信ができなくなったことを検出する放送電波受信中断検出手段と、通信電波が受信できなくなったことを検出する通信電波受信中断検出手段と、前記放送電波受信中断検出手段により放送電波の中断が検出された場合には放送受信が中断した時刻または前記通信電波受信中断検出手段により通信電波の中断が検出された場合には通信が中断した時刻及び視聴していた番組情報を記憶する記憶手段と、通信電波受信中断中に再び通信電波が受信できるようになったことを検出する通信電波受信再開検出手段と、前記通信電波受信再開検出手段により再び通信が行えるようになったことを検出した場合に前記記憶手段において記憶された情報より番組視聴が中断したことを判断する判断手段と、前記判断手段により番組視聴が中断していた場合には前記記憶部に記憶された番組中断時刻及び視聴番組情報を送信する送信手段と、前記送信手段において送られた送信情報に対して通信回線経由で放送受信が中断した部分からの動画が送信されてきた場合に通信回線経由での動画受信及び再生及び表示に切り替える切替手段と、放送電波受信中断中に再び放送電波が受信できるようになったことを検出する放送電波受信再開検出手段と、放送電波受信中断中でかつ通信回線経由で動画再生中に前記放送電波受信再開検出手段により再び放送電波の受信が開始できることを検出された場合に通信経由での動画配信を停止させる停止要求を送信する停止要求送信手段と、再び前記放送受信手段により放送受信を開始すると共に前記放送再生手段により放送を再生することを特徴とする携帯電話端末装置。
【請求項４】
請求項３に記載の携帯電話端末装置において、放送電波受信中断中でかつ通信回線経由で動画再生中に前記放送電波受信再開検出手段により再び放送電波の受信が開始できることを検出された場合に通信経由での動画配信を通常より早い再生速度で行うことを要求する高速再生要求を送信することを特徴とする携帯電話端末装置。
【請求項５】
請求項１から４に記載の携帯電話端末装置において、放送電波受信が中断したことを使用者に通知するために画面に放送電波受信中断を示すメッセージを表示することを特徴とする携帯電話端末装置。
【請求項６】
請求項１から４に記載の携帯電話端末装置において、放送電波による番組視聴から通信電波による番組視聴へ切り替わった場合もしくは通信電波による番組視聴から放送電波による番組視聴に切り替わった場合に使用者に通知するために画面に番組受信電波が切り替わったことを示すメッセージを表示することを特徴とする携帯電話端末装置。
【請求項７】
請求項１から４に記載の携帯電話端末装置において、放送電波による番組視聴中には放送受信中の旨を示す表示及び通信電波による番組視聴中には通信受信中の旨を示す表示を行うことを特徴とする携帯電話端末装置。
【請求項８】
請求項１から４に記載の携帯電話端末装置において、入力手段を設け、放送電波による番組視聴から通信電波による番組視聴へ切り替わる場合もしくは通信電波による番組視聴から放送電波による番組視聴に切り替わる場合に切替選択表示を行い、入力手段からの入力により切替を実施することを特徴とする携帯電話端末装置。
【請求項９】
請求項１から８に記載の携帯電話端末装置において、入力手段を設け入力手段からの入力により、切替選択表示によらず任意のタイミングで放送電波による番組視聴から通信電波による番組視聴への切り替え、及び通信電波による番組視聴から放送電波による番組視聴への切り替えを実施することを特徴とする携帯電話端末装置。
【請求項１０】
請求項１から９に記載の携帯電話端末装置において、送信するデータに携帯電話端末装置を特定することができる識別情報を付加して送信することを特徴とする携帯電話端末装置。
【請求項１１】
請求項１から１０に記載の携帯電話端末装置において、さらに放送電波経由で送信される時刻情報を検出する手段と、通信電波経由で送信されている番組に含まれる放送電波で送信された時間情報を検出する手段とを備え、放送電波及び通信電波の中断により番組視聴が一時中断したため実際に放送電波で放送中の番組内容を後から追いかける形で通信電波経由で番組が送信され放送電波で送信されている番組内容に追いつくために通常の再生速度よりも早い再生速度で番組が送信された場合に前記時刻情報検出手段により放送電波で放送中の番組内容に追いついた時点で放送電波による番組視聴に切り替え通信経由での番組配信を停止するよう要求する停止要求を送信することを特徴とする携帯電話端末装置。
【請求項１２】
請求項１１に記載の携帯電話端末装置において、さらに入力部を設け通常より速い番組再生の要否を選択できることを特徴とする携帯電話端末装置。
【請求項１３】
放送電波により番組を受信する手段と、受信した番組を蓄積する蓄積手段と、携帯電話端末装置からの再生要求を受信する再生要求受信手段と、前記再生要求受信手段に含まれる中断時刻情報及び視聴中番組情報により番組送信開始位置を検出する手段と、前記再生要求を送信してきた携帯電話端末装置を識別する識別手段と、前記識別手段において識別された携帯電話端末に対して番組を送信する送信手段を持つことを特徴とする番組配信局。
【請求項１４】
請求項１３に記載の番組配信局において、放送電波によって送られる番組形式と番組配信局から送信する番組形式が異なる場合には番組形式を変換する手段を持つことを特徴とする番組配信局。
【請求項１５】
請求項１３または１４に記載の番組配信局において、携帯電話端末装置からの高速再生要求を受信した場合に高速再生番組を送信することを特徴とする番組配信局。
【発明の詳細な説明】
【０００１】
【発明の属する技術分野】
本発明は、デジタル放送受信携帯端末装置において無線による通信機能を有する装置における番組視聴中断再開方法、及び放送受信中断中に放送に代わって番組を配信する番組配信局に関する。
【０００２】
【従来の技術】
日本では２００３年度から地上波デジタル放送が東京、大阪、名古屋で開始され、その後２００６年度から全国で開始されようとしている。地上波デジタル放送の特徴としては、従来のテレビ放送で対象とされていた固定テレビ向けの放送だけでなく、移動体端末向けにも放送を開始することが挙げられる。そのため地上波デジタル放送が開始されると、外出先でも地上波デジタル放送受信機能を持った携帯電話やカーナビでテレビ放送を楽しむことが可能となる。しかし移動体端末で放送を受信中に放送電波の届かない場所へ移動してしまった場合には、番組視聴が中断されてしまい見たい場面を見逃してしまうことが考えられる。そのため外出前にあらかじめ自宅の録画機により録画設定しておいたり、外出先から番組開始前にあらかじめインターネット経由で自宅の録画機もしくは自宅外の録画再生配信ステーションへの録画予約を入れたり（例えば、特許文献１参照）、外出先から番組開始前もしくは番組放送中にインターネット経由で自宅の録画機へ録画要求を送ることで番組開始時点から録画要求した番組を保存する方法が提案されている（例えば、特許文献２参照）。
【０００３】
一方、近年携帯電話基地局は幅広い地域をカバーすると共に地下街や地下鉄構内など放送電波の届かない場所においては携帯電話を用いた通話及び通信が可能になっている。また携帯電話を用いた通信システムにおいては、次世代通信システム（ＩＭＴ−２０００）への移行により下り方向で最大３８４ｋｂｐｓの通信速度を生かした動画配信がすでに実用化されている。携帯電話では動画再生中に通話通知やメール着信通知により動画再生を中断する場合が考えられ、通話通知やメール着信通知による動画再生中断及び通話やメール機能終了時に再び再生を開始する方法が提案されている（例えば、特許文献３参照）。
【０００４】
【特許文献１】
特開２００２−１８５９００号公報
【特許文献２】
特開２００２−１８５９０６号公報
【特許文献３】
特開２００２−７７４５８号公報
【０００５】
【発明が解決しようとする課題】
放送番組視聴における従来の方法では、移動体端末を用いて外出先で放送番組を視聴中に放送電波の届かない場所へ移動したことにより番組視聴が中断した場合に中断した場面を視聴するためには、あらかじめ新聞や雑誌の番組表や電子番組表を確認して自宅の録画機や外部の録画再生配信ステーションの設定を行っておく必要があったり、自宅に帰ってから録画機やインターネットに接続したコンピューターを外部の録画再生配信ステーションに接続して視聴する必要があり、外出先で見逃した場面を見ることができないという問題点があった。
【０００６】
そのためスポーツの得点シーンなどの時間が経過してから見ては半減する、及びわざわざ録画して見るほどではないがここだけ今見たい、といった視聴者の要求を満たすのは難しいという課題があった。
【０００７】
また、携帯電話を用いて、通信回線経由で動画再生を行っている場合に通話通知やメール着信通知による動画再生中断及び再開方法は提案されているが、通信電波圏外へ移動した場合の動画再生中断及び再開方法は提案されておらず、さらに放送番組を視聴する、及び放送番組の視聴中断についても提案がなされていなかった。
【０００８】
本発明は上記状況に鑑みてなされたものであり、その目的は外出先で移動体端末を用いてデジタル放送を視聴している場合に、放送電波が受信できないことによる番組視聴中断が発生しても、外出先にて中断した個所から視聴が可能な装置、及び方法を提供することにある。
【０００９】
【課題を解決するための手段】
上記課題を解決するため、第一の発明では、本発明の携帯電話端末装置ではデジタル放送を受信する放送受信手段と、前記放送受信手段により受信したデジタル信号を再生する放送再生手段と、通信回線経由で配信された動画を受信する通信受信手段と、前記通信受信手段により受信した動画を再生する通信動画再生手段と、前記放送再生手段及び前記通信動画再生手段により再生された映像を表示する表示手段と、デジタル放送電波が受信ができなくなったことを検出する放送電波受信中断検出手段と、前記放送電波受信中断検出手段により放送電波の中断が検出された場合に放送受信が中断した時刻及び視聴していた番組情報を送信する送信手段と、前記送信手段において送られた送信情報に対して通信回線経由で放送受信が中断した部分からの動画が送信されてきた場合に通信回線経由での動画受信及び再生及び表示に切り替える切替手段と、放送電波受信中断中に再び放送電波が受信できるようになったことを検出する放送電波受信再開検出手段と、放送電波受信中断中でかつ通信回線経由で動画再生中に前記放送電波受信再開検出手段により再び放送電波の受信が開始できることを検出された場合に通信経由での動画配信を停止させる停止要求を送信する停止要求送信手段と、再び前記放送受信手段により放送受信を開始すると共に前記放送再生手段により放送を再生するよう構成される。
【００１０】
第二の発明では、携帯電話端末装置は、デジタル放送を受信する放送受信手段と、前記放送受信手段により受信したデジタル信号を再生する放送再生手段と、通信回線経由で配信された動画を受信する通信受信手段と、前記通信受信手段により受信した動画を再生する通信動画再生手段と、前記放送再生手段及び前記通信動画再生手段により再生された映像を表示する表示手段と、デジタル放送電波が受信ができなくなったことを検出する放送電波受信中断検出手段と、通信電波が受信できなくなったことを検出する通信電波受信中断検出手段と、前記放送電波受信中断検出手段により放送電波の中断が検出された場合には放送受信が中断した時刻または前記通信電波受信中断検出手段により通信電波の中断が検出された場合には通信が中断した時刻及び視聴していた番組情報を記憶する記憶手段と、通信電波受信中断中に再び通信電波が受信できるようになったことを検出する通信電波受信再開検出手段と、前記通信電波受信再開検出手段により再び通信が行えるようになったことを検出した場合に前記記憶手段において記憶された情報より番組視聴が中断したことを判断する判断手段と、前記判断手段により番組視聴が中断していた場合には前記記憶部に記憶された番組中断時刻及び視聴番組情報を送信する送信手段と、前記送信手段において送られた送信情報に対して通信回線経由で放送受信が中断した部分からの動画が送信されてきた場合に通信回線経由での動画受信及び再生及び表示に切り替える切替手段により放送を再生するよう構成される。
【００１１】
第三の発明に置いては、デジタル放送を受信する放送受信手段と、前記放送受信手段により受信したデジタル信号を再生する放送再生手段と、通信回線経由で配信された動画を受信する通信受信手段と、前記通信受信手段により受信した動画を再生する通信動画再生手段と、前記放送再生手段及び前記通信動画再生手段により再生された映像を表示する表示手段と、デジタル放送電波が受信ができなくなったことを検出する放送電波受信中断検出手段と、通信電波が受信できなくなったことを検出する通信電波受信中断検出手段と、前記放送電波受信中断検出手段により放送電波の中断が検出された場合には放送受信が中断した時刻または前記通信電波受信中断検出手段により通信電波の中断が検出された場合には通信が中断した時刻及び視聴していた番組情報を記憶する記憶手段と、通信電波受信中断中に再び通信電波が受信できるようになったことを検出する通信電波受信再開検出手段と、前記通信電波受信再開検出手段により再び通信が行えるようになったことを検出した場合に前記記憶手段において記憶された情報より番組視聴が中断したことを判断する判断手段と、前記判断手段により番組視聴が中断していた場合には前記記憶部に記憶された番組中断時刻及び視聴番組情報を送信する送信手段と、前記送信手段において送られた送信情報に対して通信回線経由で放送受信が中断した部分からの動画が送信されてきた場合に通信回線経由での動画受信及び再生及び表示に切り替える切替手段と、放送電波受信中断中に再び放送電波が受信できるようになったことを検出する放送電波受信再開検出手段と、放送電波受信中断中でかつ通信回線経由で動画再生中に前記放送電波受信再開検出手段により再び放送電波の受信が開始できることを検出された場合に通信経由での動画配信を停止させる停止要求を送信する停止要求送信手段と、再び前記放送受信手段により放送受信を開始すると共に前記放送再生手段により放送を再生するよう構成される。
【００１２】
第四の発明においては、放送電波受信中断中でかつ通信回線経由で動画再生中に前記放送電波受信再開検出手段により再び放送電波の受信が開始できることを検出された場合に通信経由での動画配信を通常より早い再生速度で行うことを要求する高速再生要求を送信し、番組配信局より配送される高速再生動画の再生が放送電波にて送信されている番組に追いついた場合に通信経由での高速動画配信を停止させる停止要求を送信し、放送電波による番組視聴に切り替えるよう構成される。
【００１３】
第五の発明においては、本発明の番組配信局は、放送電波により番組を受信する手段と、受信した番組を蓄積する蓄積手段と、携帯電話端末装置からの再生要求を受信する再生要求受信手段と、前記再生要求受信手段に含まれる中断時刻情報及び視聴中番組情報により番組送信開始位置を検出する手段と、前記再生要求を送信してきた携帯電話端末装置を識別する識別手段と、前記識別手段において識別された携帯電話端末に対して番組を送信する送信手段により構成される。
【００１４】
第六の発明においては、本発明の番組配信局は、携帯電話端末装置からの高速再生要求を受信した場合に高速再生番組を送信するよう構成される。
【００１５】
【発明の実施の形態】
以下に本発明の実施の形態を示す図面に基づいて説明を行う。各実施の形態を説明する図に関しては、共通する部分には同じ番号を付して説明する。
【００１６】
図１は本発明による放送局及び番組配信局から携帯電話端末装置にデータを配信する場合の概念図であり、携帯電話端末で映像、音声、データ放送（以下、放送電波経由の場合を「番組」、通信電波経由の場合を「動画」という）を視聴する際の番組配信について示している。
【００１７】
図１において、放送局１０１は放送番組を携帯電話端末１０５へ配信する。また番組配信局１０２は、携帯電話端末１０５からの要求により蓄積しているコンテンツをインターネット１０３経由で携帯電話基地局１０４へ送信する。携帯電話基地局１０４は無線通信網を介して携帯電話端末１０５へ動画データを送信する。番組配信局１０２とは、インターネットプロバイダ、もしくはインターネットに接続されている個人用のサーバである。
【００１８】
図２は本発明による携帯電話端末装置の一実施例を示す構成図である。図２においてＣＰＵ２０１は中央演算装置であり、後述する２０２から２０９までの各制御部の制御及び放送受信部２０３や通信受信部２０４において検出された出力に応じて番組配信局に要求を送信するかどうかの判断も行う。再生部２０２では放送受信部２０３もしくは通信受信部２０４において受信された番組もしくは動画データの再生を行う。
【００１９】
また放送受信部２０３では放送電波受信中断検出及び放送電波受信再開検出も行い、通信受信部２０４では放送電波受信中断検出及び放送電波受信再開検出も行う。通信送信部２０５ではＣＰＵ２０１からの指示により番組配信局へ再生要求及び停止要求を送信する。
【００２０】
記憶部２０６はＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）やハードディスクやＣｏｍｐａｃｔ  Ｆｌａｓｈなどの記憶媒体であり電波受信中断情報や中断時刻及び視聴中番組情報を記憶する。音声再生部２０７はスピーカであり、表示部２０８はＬＣＤ（Ｌｉｑｕｉｄ  Ｃｒｙｓｔａｌ  Ｄｅｖｉｃｅ）などの表示装置であり、入力部２０９はキー入力部である。
【００２１】
なお、再生部２０２は放送電波経由で送信される番組と通信電波経由で送信される動画の圧縮形式が異なる場合には番組再生部と動画再生部に分割してもよい。
【００２２】
図３は本発明における携帯電話端末装置において、受信切替を行う状態遷移の一実施形態である。状態としては放送電波受信が可能な状態３０１があり放送電波受信及び通信電波受信が可能な状態を指す。放送電波受信及び通信電波受信の両方が途切れた状態の３０２、放送電波受信が途切れ通信電波受信が可能な３０３の３つの状態がある。
【００２３】
状態３０１は通常の携帯電話端末で放送電波を受信している状態であり、状態３０２はトンネル内などの電波が届かない状態であり、状態３０３は地下街や地下鉄構内やビル内などが考えられる。状態３０１から状態３０２への移行は放送電波受信途切れが検出された場合に行われ、通信電波受信も途切れているため放送電波受信が中断した時刻及び視聴していた番組情報を記憶部に記憶しておく。状態３０２から状態３０３への移行は通信電波受信が再開されたときに行われ、記憶しておいた中断発生時刻及び番組情報を番組配信局へ送信し、番組配信局からインターネット及び携帯電話基地局経由で送信された動画の再生を開始する。
【００２４】
状態３０３から状態３０１への移行は放送電波受信が再開された場合に番組配信局への配信停止要求の送信及び放送電波による番組再生への切替が行われる。状態３０１から状態３０３への移行は放送電波受信途切れ発生のみが検出された場合に行われ、放送電波受信が中断した現在時刻及び視聴した番組情報を番組配信局へ送信し、番組配信局からインターネット及び携帯電話基地局経由で送信された動画の再生を開始する。状態３０３から状態３０２への移行は通信電波受信途切れが検出された場合に行われ、通信電波受信が途切れた時刻及び視聴していた番組情報を記憶しておく。
【００２５】
状態３０２から状態３０１への遷移は放送電波受信及び通信電波受信再開が検出された場合に行われ、記憶しておいた中断発生時刻及び番組情報を番組配信局へ送信し、番組配信局からインターネット及び携帯電話基地局経由で送信された動画の再生を開始する。
【００２６】
図４は、本発明における放送電波受信による番組再生と通信電波受信による動画再生の切替の一例を示す。例４０１は放送電波受信による番組再生から通信電波受信による動画再生に時間的な遅延なく切り替わった場合である。例４０２は放送電波受信及び通信電波受信の両方に一時的な途切れが発生し、通信電波受信再開後に放送電波により視聴していた番組の途切れた位置から通信電波により動画を受信して視聴している場合であり、この場合は番組終了時もしくは視聴者による切替により放送番組の視聴へ切り替えることが可能である。
【００２７】
例４０３は放送電波受信及び通信電波受信の両方に一時的な途切れが発生し、通信電波受信再開後に放送電波により視聴していた番組の途切れた位置から通信電波により動画を受信して視聴している場合であり、番組の途切れた位置から現在放送中の番組位置へ追いつくため、通信電波経由の動画では高速再生を行い、現在放送中の番組位置へ追いついた段階で放送電波による番組再生へと切り替わり、番組配信局に停止要求を送信する。
【００２８】
高速再生中の動画が現在放送中の番組位置へ追いついたことを検出するために、放送電波によって送信されるタイムスタンプ情報と高速再生中動画に埋め込まれているタイムスタンプを比較する。また高速再生中の動画が現在放送中の番組位置へ追いついたことを検出するために、番組配信局側で放送電波による番組受信に切り替える信号を付加しても良い。この場合には放送電波による番組受信への切替時に番組配信局へ携帯電話端末から停止要求を送る必要はない。
【００２９】
図５は、本発明による番組配信局の一実施例を示す構成図である。図５においてＣＰＵ５０１は中央演算装置であり、後述する５０２から５０７までの各制御部の制御及び通信受信部５０４において受信した携帯電話端末からの再生要求に含まれる中断時刻及び番組情報から蓄積部５０２に蓄積された放送番組の送信開始位置の検出及び再生要求に含まれる携帯電話端末を特定する識別情報とデータベース部５０６に登録されている登録情報の照合を行う。
【００３０】
蓄積部５０２は放送受信部５０３より受信される放送番組を蓄積しておき、携帯電話端末からの再生要求に応じて蓄積情報を通信送信部５０５経由で送信する。変換部５０７では放送番組の圧縮形式と通信番組の圧縮形式が異なる検出された出力に応じて番組配信局に要求を送信するかどうかの判断も行う。
【００３１】
【発明の効果】
以上述べたように、本発明によれば放送電波による番組視聴中に放送電波が途切れた場合においても通信電波による動画視聴に切り替えることで、外出先でも見たい場面を見逃すことなく番組視聴が可能になる。
【図面の簡単な説明】
【図１】本発明による放送局及び番組配信局から携帯電話端末装置にデータを配信する場合の概念図
【図２】本発明による携帯電話端末装置の一実施例を示す構成図
【図３】本発明における携帯電話端末装置において、受信切替を行う状態遷移を示す図
【図４】本発明における放送電波受信による番組再生と通信電波受信による動画再生の切替の一例図
【図５】本発明による番組配信局の一実施例を示す構成図
【符号の説明】
２０１  ＣＰＵ
２０２  再生部
２０３  放送受信部
２０４  通信受信部
２０５  通信送信部
２０６  記憶部
２０７  音声再生部
２０８  表示部
２０９  入力部
【図１】
2004274562.tif 000003
【図２】
2004274562.tif 000004
【図３】
2004274562.tif 000005
【図４】
2004274562.tif 000006
【図５】
2004274562.tif 000007